(57)【特許請求の範囲】
【請求項１】
患者の関節窩唇の端に隣接した該患者の関節窩の外縁にアクセスするための器具ガイドであって、
遠位開口部を含む軸線方向ルーメンを有する細長いガイドチューブと、
前記遠位開口部に隣接して前記細長いチューブに枢動的に取り付けられている縁係合部材であって、第１の接触表面及び第２の接触表面を有し、前記第１の接触表面及び第２の接触表面のそれぞれが、前記ガイドチューブの遠位方向にあり、互いに離間され、かつ前記ガイドチューブの対向する側面上に配置されて、前記縁係合部材が前記関節窩の縁を覆って配置されることを可能にし、続いて前記ガイドチューブを角度的に位置決めし、前記ルーメンを通して器具を前記唇へと通過させる、縁係合部材と、
を備えるガイド。
【請求項２】
前記縁係合部材が、前記ガイドチューブに関連した枢動軸を有し、更に、前記枢動軸から前記第１の接触表面に延びる第１のアームと、前記枢動軸から前記第２の接触表面に延びる第２のアームとを有するＶ字形を含む、請求項１に記載のガイド。
【請求項３】
無菌であり、耐細菌包装物内に包装されている、請求項２に記載のガイド。
【請求項４】
前記縁係合部材が、前記ガイドチューブに関連した枢動軸と、その軸を中心として−２０〜２０度の自由度とを有する、請求項１に記載のガイド。
【請求項５】
更に、前記縁係合部材がいつ前記ガイドチューブと枢動的に整合されたかを示す整合インジケーターを上部に備える、請求項１に記載のガイド。
【請求項６】
前記整合インジケーターが、前記縁係合部材と前記ガイドチューブとの間の戻り止めを含み、前記戻り止めが、前記縁係合部材が前記ガイドチューブと枢動的に整合された際に係合される、請求項５に記載のガイド。
【請求項７】
前記整合インジケーターが、前記縁係合部材及び前記ガイドチューブ上の可視指標を含み、前記可視指標が、縁係合部材が前記ガイドチューブと枢動的に整合された際に整合する、請求項５に記載のガイド。
【発明の詳細な説明】
【背景技術】
【０００１】
本願は外科用ガイドに関し、より詳細には、関節窩手技用のドリル又はアンカー配置ガイドに関する。
【０００２】
所定の手技においては、例えばバンカート修復術、及び上方関節唇（ＳＬＡＰ）損傷修復術を含む関節唇再建術のように、肩甲骨の関節窩の外側範囲を画定する骨の縁内に外科用アンカーを配置することが望ましい。縁は幾分細く、利用可能な骨の保持及び使用を最大限にするためには、アンカーを、軸線から外れる有意な変動を有することなく、縁のピークから骨内に真っ直ぐ配置することが望ましい。現在の手技では、歯状（toothy）遠位端、又は遠位端に一対のつかみ具（時には魚口（fish mouth）と称される）が形成された真っ直ぐな管状カニューレを使用し、前記カニューレは縁を覆って配置される。カニューレの適切な角度整合を達成して、軸線から外れたアンカー配置を防止することは、特に関節鏡下手技においては難しい場合がある。ガイドの軌道は、主に関節鏡検査カニューレの初期配置と、軟組織による拘束とにより決定される。湾曲したカニューレを使用してもよいが、これは穿孔とアンカー通過とを複雑にし、穿孔及びアンカー配置の間に真っ直ぐなカニューレを定位置に維持することよりも困難であり得る。
【発明の概要】
【発明が解決しようとする課題】
【０００３】
本発明は、単純かつ洗練された設計で、従来技術のこれらの制限及び他の制限を克服する。
【課題を解決するための手段】
【０００４】
本発明による器具は、患者の関節窩唇の端に隣接した患者の関節窩の外縁へのアクセスを提供する。ガイドは、遠位開口部を含む軸線方向ルーメンを有する細長いガイドチューブと、遠位開口部に隣接して細長いチューブに枢動的に取り付けられている縁係合部材とを備える。縁係合部材は、第１の接触表面及び第２の接触表面を有し、前記第１の接触表面及び第２の接触表面のそれぞれは、ガイドチューブの遠位方向にあり、互いに分離され、かつガイドチューブの対向する側面上に配置されて、関節窩の縁を覆って縁係合部材を配置することを可能にする。続くガイドチューブの角度的位置決めにより、器具を好ましい角度方向にてルーメンを通して唇へと適切に通過させる。
【０００５】
縁係合部材は、ガイドチューブに関連した枢動軸を有し、更に、枢動軸から第１の接触表面に延びる第１のアームと、枢動軸から第２の接触表面に延びる第２のアームとを有するＶ字形を含むことが好ましい。
【０００６】
ガイドは無菌にて提供され、耐細菌包装物内に包装されることが好ましい。
【０００７】
縁係合部材は、ガイドチューブに関連した枢動軸と、その軸を中心とした−２０〜２０度の自由度とを有することが好ましい。
【０００８】
縁係合部材がいつガイドチューブと枢動的に整合されたかを示す整合インジケーターを設けることが好ましい。本発明の一態様において、整合インジケーターは、縁係合部材とガイドチューブとの間の戻り止めを含み、前記戻り止めは、縁係合部材がガイドチューブと枢動的に整合された際に係合される。代替的に、整合インジケーターは、縁係合部材及びガイドチューブ上の可視指標を含み、前記可視指標は、縁係合部材がガイドチューブと枢動的に整合された際に整合する。戻り止め及び指標は、一緒に使用されてもよい。また指標は、係合部材の中立整合位置からのガイドチューブに関連した角度的変位を示す目盛りを含んでもよい。
【０００９】
本発明による方法は、関節窩の縁内へのアンカーの配置を提供する。本方法は、軸線方向ルーメン及び遠位開口部を有する細長いガイドチューブを関節窩の縁に近接して配置するステップと、ガイドチューブの遠位端に枢動可能に接続されている縁係合部材を関節窩の縁を覆って係合させるステップと、ガイドチューブを枢動させてルーメンを関節窩の縁と整合させるステップと、器具をルーメン内に通過させて骨孔を形成し、アンカーを骨孔内に移植するステップと、を含む。
【００１０】
器具は、ドリル又は突き錐を含んでもよい。
【００１１】
本発明の一態様において、枢動させるステップは、ガイドチューブ上のマークを縁係合部材上のマークと整合させるステップを含む。
【００１２】
縁係合部材は、縁係合部材上のマークがガイドチューブ上のマークと整合した際にルーメンが関節窩の縁と整合する方向で、関節窩の縁を受容する形状を有することが好ましい。
【図面の簡単な説明】
【００１３】
【図１】縫合糸アンカーを用いた関節唇修復術を示す、関節窩及び関節窩唇内に受容された上腕骨頭の断面図。
【図２】関節窩の縁にアクセスするための先行技術によるガイドを示す関節窩の断面図。
【図３】関節窩の縁上への初期配置中の、本発明による改良されたガイドを示す関節窩の断面図。
【図４】関節窩の縁と軸線方向に整合されたガイドを示す、図３の関節窩及びガイドの断面図。
【図４Ａ】図４の矢印付き線４Ａ−４Ａに沿った部分拡大断面図。
【図５】ガイドを通って関節窩の縁にアクセスするドリルを示す、図３の関節窩及びガイドの断面図。
【図６】関節窩の縁内への縫合糸アンカーの配置を示す、図３の関節窩及びガイドの断面図。
【図７】完了した関節唇修復術を示す、図３の関節窩の断面図。
【発明を実施するための形態】
【００１４】
図１は、肩甲骨１４の関節窩１２内に受容された上腕骨頭１０を示す。唇１６と称される線維軟骨性の縁が関節窩１２を包囲し、頭１０を関節窩１２内に納めるのを助けている。唇１６が損傷した際、唇１６下の骨１４内に縫合糸アンカー１７を配置し、アンカーから唇１６を通して延びる縫合糸１５を用いて唇１６を骨１４へと縛り付けることにより、修復術が行われてもよい。関節窩１２は、唇１６が付着する骨の縁１８まで外方向に延びる。縫合糸アンカー１７は、多くの場合、縁１８の頂点２０を通して骨内に配置されることが好ましい。アンカー１７は一般に、縁１８により画定される中心軸線１９内へと配置されて、アンカーが健康な骨内にて骨壁から離れてしっかりと嵌まった状態を保つ必要がある。
【００１５】
図２は、ドリル（図２に示さず）を整合させ、アンカーを骨１４内へと通過させるための先行技術によるガイド２２を示す。ガイド２２は、長手方向軸線２５を画定する中心ルーメン２６を有する細長いチューブ２４と、縁１８をまたいで、ルーメン２６を縁１８と整合させることができる一対の遠位脚２８とを備える。適切な整合を得ることは困難であり得る。殆どの手技は関節鏡で行われ、カニューレ（図示せず）を通してガイド２２を縁１８へと通過させる。カニューレの角度的配置は、縁１８へのガイド２２の軌道に影響を与える。この範囲内の組織も軌道を妨げる場合がある。ガイド２２の配置を誤ると、アンカーが骨壁に近すぎる場所に配置され、アンカー配置の失敗をもたらす可能性がある。
【００１６】
図３は、縁１８に関連したガイド３０の適切な配置及び整合を容易にするアンカーガイド３０を示す。ガイド３０は、内部に中心ルーメン３４を含む、長手方向軸線３３を有する細長いチューブ３２を備える。調整可能なストラドル３６は、枢動軸４２を規定する一対のピボット４０を介して、チューブ３２の遠位端３８に取り付けられている。ストラドル３６は第１の脚４４及び第２の脚４６を含み、これらは枢動軸４２からＶ字状に延びて、それぞれ第１の遠位支持表面４８及び第２の遠位支持表面５０内で終結し、ルーメン３４と整合した空間５２を形成する。脚４４又は４６の一方は、魚口型のストラドルとして既知のように、他方よりも僅かに長く形成されることが好ましい。ストラドル３６は先行技術によるガイド２２の脚２８と同様の様式で縁１８上に適合するが、縁１８上に配置されているときにその枢動能力によってガイド３０上の周囲組織からの力が低減され、より容易かつより正確な配置が可能となる。その形状は、ストラドル３６が縁１８上に自己整合することを可能にする。配置後、チューブ３２を回転させてストラドル３６と整合させてもよい。ストラドル３６及びチューブ３２上の、それぞれの整合マーク５４及び５６は、ストラドル３６がいつチューブ３２と軸線方向に整合されたかを示す。これらのマーク５４及び５６は、レーザー・エッチングされかつ着色され、又は別様に強化されてそれらの視覚化を向上させてもよい。
【００１７】
図４Ａは、ストラドル３６の内側表面からチューブ３２に向かって外方向に延びる突起５５を含む戻り止め機構５３を示し、突起５５は、ストラドル３６とチューブ３２とが軸線方向に整合した際、チューブ３２上の窪み５７と係合する。このことは、適切な整合を示す触知性フィードバックをユーザーに提供する。突起５５と窪み５７との係合は、縁１８上のストラドル３６の配置を妨げることなく係合することを可能にするよう十分に小さいが、それでも尚、ユーザーが感じることができる触知性応答を提供する。この目標を支援するために、突起５５は、例えば一片のバネ金属５９から形成され、又は一片のバネ金属５９に装着される等、ある様式にてバネ負荷されてもよい。
【００１８】
使用時、手術部位に隣接して、１つ以上の孔（portal）（図示せず）が患者の皮膚６１を通して身体内に確立されることが好ましく、この部位は当業者が理解するように準備されるであろう。関節窩１２に向かってアンカーガイド３０を前進させ、アンカー配置に所望される位置にて縁１８を覆ってストラドル３６を配置する。図３に示すように、ストラドル３６を縁１８上に適切に納まるまで押し込み、次に、図４に示すように、マーク５４と５６が整合して、ストラドル３６がチューブ３２と軸線方向にて整合し、それ故、ルーメン３４及びチューブ３２の長手方向軸線３３が、目下、縁１８の軸線１９と整合したことを示すまで、枢動軸４２を中心としてチューブ３０を回転させる。
【００１９】
以下図５〜７を参照すると、ルーメン３４を通してドリル６０を縁１８の骨内に前進させて、骨孔６２を形成する（図５）。ドリル６０を除去し、縫合糸６６が取り付けられたアンカー６４をルーメン３４を通して配置し、骨孔６２内に固定する（図６）。縫合糸６６を唇１６に通し、締め付けて唇１６を縁１８に再び付着させる（図７）。本発明は、主として、適切な整合と、骨孔６２の形成とに関する。当業者は、多数の形態のアンカー及び縫合技術を、本発明の新規なガイド３０と共に使用できることを理解するであろう。
【００２０】
ガイド３０を別個のアクセス孔（access portal）カニューレを通して使用する手技を記載してきたが、ガイド３０が別個のアクセス孔カニューレを有することなく単独で皮膚を通してその役割を果たし得ることが想定される。ガイドは、ステンレス鋼等の生体適合性材料から形成され、無菌にて、また耐細菌パッケージ内で提供されることが好ましい。
【００２１】
本発明について、その好ましい実施形態に関連して説明してきた。明らかに、先の詳細な説明を読み理解すると、修正及び変更が他者にも思いつくであろう。そのような修正及び変更が添付の特許請求の範囲及びその等価物の範疇に入る限り、本発明はそのような修正及び変更のすべてを含むと解釈されるものとする。
【００２２】
〔実施の態様〕
（１）  患者の関節窩唇の端に隣接した該患者の関節窩の外縁にアクセスするための器具ガイドであって、
遠位開口部を含む軸線方向ルーメンを有する細長いガイドチューブと、
前記遠位開口部に隣接して前記細長いチューブに枢動的に取り付けられている縁係合部材であって、第１の接触表面及び第２の接触表面を有し、前記第１の接触表面及び第２の接触表面のそれぞれが、前記ガイドチューブの遠位方向にあり、互いに離間され、かつ前記ガイドチューブの対向する側面上に配置されて、前記縁係合部材が前記関節窩の縁を覆って配置されることを可能にし、続いて前記ガイドチューブを角度的に位置決めし、前記ルーメンを通して器具を前記唇へと通過させる、縁係合部材と、
を備えるガイド。
（２）  前記縁係合部材が、前記ガイドチューブに関連した枢動軸を有し、更に、前記枢動軸から前記第１の接触表面に延びる第１のアームと、前記枢動軸から前記第２の接触表面に延びる第２のアームとを有するＶ字形を含む、実施態様１に記載のガイド。
（３）  無菌であり、耐細菌包装物内に包装されている、実施態様２に記載のガイド。
（４）  前記縁係合部材が、前記ガイドチューブに関連した枢動軸と、その軸を中心として−２０〜２０度の自由度とを有する、実施態様１に記載のガイド。
（５）  更に、前記縁係合部材がいつ前記ガイドチューブと枢動的に整合されたかを示す整合インジケーターを上部に備える、実施態様１に記載のガイド。
（６）  前記整合インジケーターが、前記縁係合部材と前記ガイドチューブとの間の戻り止めを含み、前記戻り止めが、前記縁係合部材が前記ガイドチューブと枢動的に整合された際に係合される、実施態様５に記載のガイド。
（７）  前記整合インジケーターが、前記縁係合部材及び前記ガイドチューブ上の可視指標を含み、前記可視指標が、縁係合部材が前記ガイドチューブと枢動的に整合された際に整合する、実施態様５に記載のガイド。
（８）  関節窩の縁内にアンカーを配置する方法であって、
軸線方向ルーメン及び遠位開口部を有する細長いガイドチューブを前記関節窩の縁に近接して配置するステップと、
前記ガイドチューブの遠位端に枢動可能に接続されている縁係合部材を、前記関節窩の縁を覆って係合させるステップと、
ガイドチューブを枢動させて、前記ルーメンを前記関節窩の縁と整合させるステップと、
器具を前記ルーメン内に通過させて骨孔を形成し、前記アンカーを前記骨孔内に移植するステップと、
を含む、方法。
（９）  前記器具がドリルである、実施態様８に記載の方法。
（１０）  前記器具が突き錐である、実施態様８に記載の方法。
【００２３】
（１１）  前記枢動させるステップが、前記ガイドチューブ上のマークを、前記縁係合部材上のマークと整合させるステップを含む、実施態様８に記載の方法。
（１２）  前記縁係合部材が、前記縁係合部材上の前記マークが前記ガイドチューブ上の前記マークと整合した際に前記ルーメンが前記関節窩の縁と整合する方向で、前記関節窩の縁を受容する形状を有する、実施態様１１に記載の方法。
【図１】
0005992280.tif 000002
【図２】
0005992280.tif 000003
【図３】
0005992280.tif 000004
【図４】
0005992280.tif 000005
【図４Ａ】
0005992280.tif 000006
【図５】
0005992280.tif 000007
【図６】
0005992280.tif 000008
【図７】
0005992280.tif 000009